(57)【要約】      （修正有）【課題】エスカレーターの内側板の表面及びインナーデッキの表面の洗浄を効果的に行なうことができるエスカレーター用モップを提供する。【解決手段】エスカレーター用モップ１００は、本体部１０と第１のシート部２０と第２のシート部３０を有しており、エスカレーターの内側板とインナーデッキを洗浄するためのものであり、内側板は、第１のシート部を用いて洗浄され、インナーデッキは、第２のシート部を用いて洗浄されるように形成されている。第１のシート部と第２のシート部のそれぞれが、起毛したマイクロブラシとマイクロファイバー糸を山形にパターン化した織布を有しており、織布は、アクリル樹脂、フッ素樹脂及びシリコン樹脂をエマルジョン化したものが、全面に含浸固着されている。【選択図】図１
0003218879.tif 000002
【実用新案登録請求の範囲】
【請求項１】
本体部と第１のシート部と第２のシート部を有し、内側板とインナーデッキを有するエスカレーターの前記内側板が、前記第１のシート部を用いて洗浄され、且つ、前記インナーデッキが、前記第２のシート部を用いて洗浄されるように形成されたエスカレーター用モップであって、
前記本体部は、
前記第１のシート部を、面的に着脱自在な面ファスナーを用いて保持する第１の保持部と、
前記第２のシート部を、面的に着脱自在な面ファスナーを用いて保持する前記第１の保持部と一体的に形成された第２の保持部と、
前記第１の保持部に一体的になるように設けられ、前後及び左右が、回転自在になるように形成されているハンドル部と、を有し、
前記第１のシート部が、前記面ファスナーを用いて前記第１の保持部に保持され、且つ、前記第２のシート部が、前記面ファスナーを用いて前記第２の保持部に保持されている状態において、
前記第１のシート部が前記内側板に当接し、且つ、前記第２のシート部がインナーデッキに当接するように形成されていることを特徴とするエスカレーター用モップ。
【請求項２】
前記第１のシート部と前記第２のシート部のそれぞれは、起毛したマイクロブラシとマイクロファイバー糸を山形にパターン化した織布を有しており、
前記織布は、アクリル樹脂、フッ素樹脂及びシリコン樹脂をエマルジョン化したものが、全面に含浸固着されており、前記内側板の表面と前記インナーデッキの表面の付着物及び汚れが除去され、前記内側板の表面と前記インナーデッキの表面がコーティングされるように形成されていることを特徴とするエスカレーター用モップ。
【請求項３】
前記面ファスナーは、前記第１の保持部及び前記第２の保持部においてフック状係合素子の機能を有し、前記第１のシート部及び前記第２のシート部においてループ状係合素子の機能を有するポリエステルまたはナイロンであることを特徴とする請求項１または請求項２に記載のエスカレーター用モップ。
【考案の詳細な説明】
【技術分野】
【０００１】
本考案は、エスカレーター用モップに関する。
【背景技術】
【０００２】
エスカレーターは、人が建物の各階を移動するために、設置され利用されるものであり、階段状の昇降機能を有する自動階段として普及している。このようなエスカレーターは、定期的に清掃する必要があり、エスカレーターの移動手摺のキャンバス面を清掃するためのエスカレーターの手摺清掃装置などが開発されている。
【先行技術文献】
【特許文献】
【０００３】
【特許文献１】特開２００７−２６１７１３号公報
【考案の概要】
【考案が解決しようとする課題】
【０００４】
エスカレーターのクリーンメンテナンスに関して、階段等駆動部以外は設置者などで行っており、一般的にビルメンテナンス業者が行っている。側面のガラス及び階段そばのステンレス部は作動を停止して手作業で雑巾などを用い行われており大変な重労働となっており、これらを軽減し、さらに安全に運転ができるような作業用具が必要であった。
【０００５】
また、エスカレーターの清掃は、移動手摺のキャンバス面を清掃のみならず、エスカレーターの内側板の表面及びインナーデッキの表面の清掃も必要であり、手作業で行っているのが現状であり、内側板の表面及びインナーデッキの表面の洗浄などが、効果的にできるものが求められていた。そこで本考案は、このような課題を解決するためになされたもので、エスカレーターの内側板の表面及びインナーデッキの表面の洗浄を効果的に行なうことができるエスカレーター用モップを提供するものである。
【課題を解決するための手段】
【０００６】
上記課題を解決するために、本考案に係るエスカレーター用モップは、本体部と第１のシート部と第２のシート部を有し、内側板とインナーデッキを有するエスカレーターの前記内側板が、前記第１のシート部を用いて洗浄され、且つ、前記インナーデッキが、前記第２のシート部を用いて洗浄されるように形成されたエスカレーター用モップであって、前記本体部は、前記第１のシート部を、面的に着脱自在な面ファスナーを用いて保持する第１の保持部と、前記第２のシート部を、面的に着脱自在な面ファスナーを用いて保持する前記第１の保持部と一体的に形成された第２の保持部と、前記第１の保持部と一体的になるように設けられ、前後及び左右が、回転自在になるように形成されているハンドル部と、を有し、前記第１のシート部が、前記面ファスナーを用いて前記第１の保持部に保持され、且つ、前記第２のシート部が、前記面ファスナーを用いて前記第２の保持部に保持されている状態において、前記第１のシート部が前記内側板に当接し、且つ、前記第２のシート部がインナーデッキに当接するように形成されていることを特徴とする。
【０００７】
本考案に係るエスカレーター用モップの態様について、前記第１のシート部と前記第２のシート部のそれぞれは、起毛したマイクロブラシとマイクロファイバー糸を山形にパターン化した織布を有しており、前記織布は、アクリル樹脂、フッ素樹脂及びシリコン樹脂をエマルジョン化したものが、全面に含浸固着されており、前記内側板の表面と前記インナーデッキの表面の付着物及び汚れが除去され、前記内側板の表面と前記インナーデッキの表面がコーティングされるように形成されていることが好ましい。
【０００８】
本考案に係るエスカレーター用モップの態様について、前記面ファスナーは、前記第１の保持部及び前記第２の保持部においてフック状係合素子の機能を有し、前記第１のシート部及び前記第２のシート部においてループ状係合素子の機能を有するポリエステルまたはナイロンであることが好ましい。
【考案の効果】
【０００９】
本考案によれば、エスカレーターの内側板の表面及びインナーデッキの表面の洗浄を効果的に行なうことができるエスカレーター用モップを提供することができる。
【図面の簡単な説明】
【００１０】
【図１】実施形態のエスカレーター用モップの一例を示す模式図である。
【図２】実施形態のエスカレーター用モップを説明する模式図である。
【図３】実施形態のエスカレーター用モップの使用の一例を示す参考図である。
【図４】実施形態のエスカレーター用モップの一例を示す参考図である。
【考案を実施するための形態】
【００１１】
以下、本考案のエスカレーター用モップの実施形態を、図１から図４を用いて説明する。図１(ａ)は、エスカレーター用モップ１００を上から見た模式図であり、図１(ｂ)は、エスカレーター用モップ１００を横から見た模式図であり、図２は、エスカレーター用モップ１００を第１のシート部と第２のシート部を含み説明する模式図であり、図３は、エスカレーター用モップ１００の使用の一例を示しており、図４（ａ）は、エスカレーター用モップ１００の具体例を示す参考図であり、及び図４（ｂ）は、エスカレーター用モップ１００の本体部１０の一例を示す参考図である。
【００１２】
エスカレーター用モップ１００は、本体部１０と第１のシート部２０と第２のシート部３０を有している。エスカレーター用モップ１００は、内側板ＵとインナーデッキＤを有するエスカレーターＥの内側板ＵとインナーデッキＤを洗浄するためのものであり、内側板Ｕは、第１のシート部２０を用いて洗浄され、且つ、インナーデッキＤは、第２のシート部３０を用いて洗浄されるように形成されている。
【００１３】
本体部１０は、第１のシート部２０を、面的に着脱自在な面ファスナーＭを用いて保持するように形成された第１の保持部１０ａと、第２のシート部３０を、面的に着脱自在な面ファスナーＭを用いて保持するように形成された第２の保持部１０ｂと、前後及び左右が回転自在になるように形成されており、第１の保持部１０ａと一体的になるように設けられたハンドル部１０ｃを有している。また、第１の保持部１０ａと第２の保持部１０ｂは、一体的になるように形成されている。なお、この例において、第１の保持部１０ａと第２の保持部１０ｂは、略７０度の角度を有し一体的に形成されているが、これに限定されず、エスカレーターＥの形状に合わせて適宜最適なものにすればよい。
【００１４】
エスカレーター用モップ１００は、第１のシート部２０が、面ファスナーＭを用いて第１の保持部１０ａに保持され、且つ、第２のシート部３０が、面ファスナーＭを用いて第２の保持部１０ｂに保持されている状態において、第１のシート部２０が、内側板Ｕ当接し、且つ、第２のシート部３０が、インナーデッキＤに当接するように形成されている。
【００１５】
エスカレーター用モップ１００は、第１のシート部２０と第２のシート部３０のそれぞれが、起毛したマイクロブラシとマイクロファイバー糸を、例えば、山形にパターン化した織布を有しており、この織布は、アクリル樹脂、フッ素樹脂及びシリコン樹脂をエマルジョン化したものが、全面に含浸固着されている。なお、アクリル樹脂は、表面活性剤として乳化状態にさせる機能を有するものであり、フッ素樹脂は、金属、ガラスなどの表面を保護する膜としてのコーティング機能を有するものであり、シリコン樹脂は、不揮発性で滑りをよくする機能を有するものである。
【００１６】
このような構成のエスカレーター用モップ１００は、第１のシート部２０と第２のシート部３０を用いて、エスカレーターＥの内側板ＵとインナーデッキＤを洗浄することにより、内側板Ｕの表面とインナーデッキＤの表面の付着物及び汚れが除去され、同時に、内側板Ｕの表面とインナーデッキＤの表面がコーティングされるという顕著な効果を有するように形成されている。
【００１７】
また、上記の面ファスナーＭは、例えば、第１の保持部１０ａ及び第２の保持部１０ｂにおいて、フック状係合素子の機能を有しており、一方、第１のシート部２０及び第２のシート部３０において、この場合、ループ状係合素子の機能を有するポリエステルまたはナイロンである。この面ファスナーＭの構成は、一例であり、これに限定されず適宜最適な構成とすればよい。なお、上記の起毛したマイクロブラシとマイクロファイバー糸を山形にパターン化した織布とループ状係合素子の機能を有するポリエステルまたはナイロンは、ポリウレタンを介して一体的になるように形成されていることが望ましい。
【００１８】
一般的に、エスカレーターＥが作動している時は、内側板Ｕの例えばガラスと足元の傾斜しているインナーデッキＤの例えばステンレスが、固定されており、そのため靴や荷物が接触するとバランスをくずし転倒などの事故が発生することがある。
【００１９】
このようなことを防止するために、内側板Ｕ及びインナーデッキＤにシリコンなどの潤滑剤を適時塗布する必要があるが、通常の清掃の場合、誤ってシリコンが他の部分に付着する結果、足元が滑ることになり大変危険な状態になることがある。
【００２０】
このような危険な状態にならないよう安全面及び労働者の環境を考慮してガラス面とステンレス面の清掃を同時に行なうことができ、且つ、潤滑剤の転写によるコーティングができる上記の考案を開発した。本考案は、ホコリ、汚れなどをより良く取ると同時に接触面に潤滑性をもたせることができ、このことによりエスカレーターの搭乗者が、接触などでバランスを失うことなく安全に利用できるものでる。
【００２１】
また、エスカレーター用モップ１００は、例えば、アルミパイプ製で軽量なものにすることで、作業者の負荷が少なく、この作業性が格段に改善されることになる。この例では、面ファスナーＭを用いており、これはマジック着脱式であり、洗濯機で洗浄することができ、含浸している素材の脱落は、ほとんど無く、くり返し使用できるものである。
【００２２】
このようなエスカレーター用モップ１００は、エスカレーターＥの内側板ＵとインナーデッキＤをコーティングする機能により光沢をだすことができ、防汚、防サビ、表面の潤滑性によるキズの発生防止、滑りやすくするなどさまざまな効果を持続させることができるものである。
【００２３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２４】
また、本考案のエスカレーター用モップの大きさや形状、素材の厚さ、重さなどについては多様な実施形態が可能であり、それらについて本実施形態と異なる形態による実施は、本考案の技術的範囲に含まれる。
【符号の説明】
【００２５】
１００    エスカレーター用モップ
１０      本体部
１０ａ    第１の保持部
１０ｂ    第２の保持部
１０ｃ    ハンドル部
２０      第1のシート部
３０      第２のシート部
Ｍ        面ファスナー
Ｅ        エスカレーター
Ｕ        内側板
Ｄ        インナーデッキ
【図１】
0003218879.tif 000003
【図２】
0003218879.tif 000004
【図３】
0003218879.tif 000005
【図４】
0003218879.tif 000006
【手続補正書】
【提出日】平成30年9月6日(2018.9.6)
【手続補正１】
【補正対象書類名】実用新案登録請求の範囲
【補正対象項目名】全文
【補正方法】変更
【補正の内容】
【実用新案登録請求の範囲】
【請求項１】
本体部と第１のシート部と第２のシート部を有し、内側板とインナーデッキを有するエスカレーターの前記内側板が、前記第１のシート部を用いて洗浄され、且つ、前記インナーデッキが、前記第２のシート部を用いて洗浄されるように形成されたエスカレーター用モップであって、
前記本体部は、
前記第１のシート部を、面的に着脱自在な面ファスナーを用いて保持する第１の保持部と、
前記第２のシート部を、面的に着脱自在な面ファスナーを用いて保持する前記第１の保持部と一体的に形成された第２の保持部と、
前記第１の保持部に一体的になるように設けられ、前後及び左右が、回転自在になるように形成されているハンドル部と、を有し、
前記第１のシート部が、前記面ファスナーを用いて前記第１の保持部に保持され、且つ、前記第２のシート部が、前記面ファスナーを用いて前記第２の保持部に保持されている状態において、
前記第１のシート部が前記内側板に当接し、且つ、前記第２のシート部がインナーデッキに当接するように形成されていることを特徴とするエスカレーター用モップ。
【請求項２】
前記第１のシート部と前記第２のシート部のそれぞれは、起毛したマイクロブラシとマイクロファイバー糸を山形にパターン化した織布を有しており、
前記織布は、アクリル樹脂、フッ素樹脂及びシリコン樹脂をエマルジョン化したものが、全面に含浸固着されており、前記内側板の表面と前記インナーデッキの表面の付着物及び汚れが除去され、前記内側板の表面と前記インナーデッキの表面がコーティングされるように形成されていることを特徴とする請求項１に記載のエスカレーター用モップ。
【請求項３】
前記面ファスナーは、前記第１の保持部及び前記第２の保持部においてフック状係合素子の機能を有し、前記第１のシート部及び前記第２のシート部においてループ状係合素子の機能を有するポリエステルまたはナイロンであることを特徴とする請求項１または請求項２に記載のエスカレーター用モップ。